(57)【要約】【課題】ユーザにとって使いやすい放送受信装置を提供する。【解決手段】本装置１は、放送局に関する局情報をチャンネル番号ごとにユーザ固有の関連付けで記憶しているユーザチャンネル情報記憶手段１４と、放送局の地域ごとに、該地域に入ってからの経過時間を含むモニタ情報を記憶する地域モニタ情報記憶手段２０と、地域モニタ情報記憶手段２０に記憶する経過時間の更新を行うモニタ情報更新手段２２と、地域モニタ情報記憶手段２０内の経過時間に基づいて、ユーザチャンネル情報記憶手段１４の更新を行うか判定するユーザチャンネル更新判定手段１６とを有する。【選択図】図１
2007180794.tif 000002
【特許請求の範囲】
【請求項１】
地域におけるチャンネル番号と放送局との対応関係を記憶している地域チャンネル情報記憶手段と、
手動で設定したチャンネル番号と放送局との対応関係を記憶しているユーザチャンネル情報記憶手段と、
前記地域チャンネル情報記憶手段が記憶している地域チャンネル情報と前記ユーザチャンネル情報記憶手段が記憶しているユーザチャンネル情報に基づいて選局のためのチャンネル番号を設定する設定手段と、
該設定手段の設定に基づいて前記ユーザチャンネル情報を更新する更新手段と、
を有する放送受信装置。
【請求項２】
前記更新手段は、前記設定手段が選局のためのチャンネル番号を設定してから新たに選局のためのチャンネル番号を設定するまでの経過時間に基づいて前記ユーザチャンネル情報を更新することを特徴とする請求項１記載の放送受信装置。
【請求項３】
チャンネルを選局する選局手段を備え、
前記更新手段は、前記選局手段により選局された選局情報に基づいて前記ユーザチャンネル情報を更新することを特徴とする請求項１記載の放送受信装置。
【請求項４】
地域におけるチャンネル番号と放送局との対応関係を示す地域チャンネル情報と、手動で設定したチャンネル番号と放送局との対応関係を示すユーザチャンネル情報と、に基づいて選局のためのチャンネル番号を設定し、該設定に基づいて前記ユーザチャンネル情報を更新することを特徴とする放送受信制御方法。
【請求項５】
前記選局のためのチャンネル番号を設定してから新たに選局のためのチャンネル番号を設定するまでの経過時間に基づいて前記ユーザチャンネル情報を更新することを特徴とする請求項４記載の放送受信制御方法。
【請求項６】
チャンネルが選局された選局情報に基づいて前記ユーザチャンネル情報を更新することを特徴とする請求項４記載の放送受信制御方法。
【発明の詳細な説明】
【技術分野】
【０００１】
本発明は、放送受信装置、放送受信制御方法に関し、とくにユーザ固有のチャンネル情報の更新に関する。
【背景技術】
【０００２】
近年、携帯電話機にテレビチューナを内蔵する技術が知られている（例えば、特許文献１参照）。また、地上波デジタル放送または衛星デジタル放送では、主に携帯性の高い小型受信機向けに、１または３セグメントの伝送帯域を使用した放送が予定されている。
【０００３】
また、テレビジョンのチャンネル設定においては、地域情報を入力することにより受信地域を指定し、その地域の推奨するチャンネル設定情報でチャンネル設定とダイレクト選局のキー設定を行うことによりユーザの設定操作を補助するテレビジョンのチャンネル設定方法が知られている（たとえば、特許文献２参照）。
【０００４】
また、受信地域が変わっても同じメモリ領域（ダイレクトキー）に元の受信地域の放送局と同じ系列の放送局を設定することができるテレビ受像機が知られている（たとえば、特許文献３参照）。
【特許文献１】特開２０００−９９２０号公報
【特許文献２】特開平９−１７２５８１号公報
【特許文献３】特開２００３−１７９８２３号公報
【発明の開示】
【発明が解決しようとする課題】
【０００５】
ところで、携帯電話機などの移動型放送受信装置に上記テレビジョン設定方法を適用した場合、家庭用などの設置位置が固定された放送受信装置とは異なり装置の移動に伴って受信地域が変わるので、受信地域が変わるたびに、地域情報を入力してダイレクトキーに新しい受信チャンネルを設定しなければならない。また、その際、地域情報を入力すると新しい地域で推奨されるチャンネル設定（プリセット設定）になるために、元の地域の放送局と同じ系列の放送局が元の地域と同じダイレクトキーに設定されるとは限らない。このため、利用者（ユーザ）が新しい地域の設定に慣れる必要がある。
【０００６】
本発明が解決しようとする課題は、ユーザにとって使いやすい放送受信装置を提供することである。
【課題を解決するための手段】
【０００７】
本発明に係る放送受信装置は、放送局に関する局情報をチャンネル番号ごとにユーザ固有の関連付けで記憶しているユーザチャンネル情報記憶手段と、放送局の地域ごとに、該地域に入ってからの経過時間を含むモニタ情報を記憶する地域モニタ情報記憶手段と、前記地域モニタ情報記憶手段に記憶する前記経過時間の更新を行うモニタ情報更新手段と、前記地域モニタ情報記憶手段内の前記経過時間に基づいて、前記ユーザチャンネル情報記憶手段の更新を行うか判定するユーザチャンネル更新判定手段とを有する。
本発明では好適に、前記更新手段は、前記設定手段が選局のためのチャンネル番号を設定してから新たに選局のためのチャンネル番号を設定するまでの経過時間に基づいて前記ユーザチャンネル情報を更新する。
本発明では好適に、チャンネルを選局する選局手段を備え、前記更新手段は、前記選局手段により選局された選局情報に基づいて前記ユーザチャンネル情報を更新する。
【０００８】
本発明に係る放送受信制御方法は、地域におけるチャンネル番号と放送局との対応関係を示す地域チャンネル情報と、手動で設定したチャンネル番号と放送局との対応関係を示すユーザチャンネル情報と、に基づいて選局のためのチャンネル番号を設定し、該設定に基づいて前記ユーザチャンネル情報を更新する。
【発明の効果】
【０００９】
本発明の放送受信装置は、ユーザにとって使いやすいという利点がある。
【発明を実施するための最良の形態】
【００１０】
本発明は、コンピュータ、携帯電話機、ゲーム機、カメラ、カーナビあるいは動画再生装置など、とくに移動が自由に行える移動型の機器に、放送受信機能を付加した場合に広く適用可能である。
以下、本発明の実施の形態を、放送受信機能を有する携帯電話を例として説明する。
【００１１】
図１は、本実施の形態にかかる携帯電話の基本的な構成を示すブロック図である。
図１に示すように、受信地域ごとに設置された放送局（または中継用）の電波塔１００Ａから送信された放送の電波に重畳された信号（ＯＦＤＭ変調信号）を、放送受信装置（携帯電話）１のアンテナ４が受信する。この放送の電波は、その周波数帯（チャンネル）ごとに複数の放送局の放送信号を含み、放送受信装置１は、後述するように、その電波から一の放送局をダイレクト選局またはスクロール選局により選択し、選択した放送局からの電波を復調して映像信号および音声信号を再生する。なお、デジタル放送では、たとえば、周波数範囲がＵＨＦ１３ｃｈ〜６２ｃｈ（４７０ＭＨｚ〜７７０ＭＨｚ）と規定され、チャンネル数は４９ｃｈである。
【００１２】
携帯電話１は、放送受信およびデータ通信のための基本的な構成として、データ通信（および通話）の電波を受信するアンテナ２、無線通信手段（変調および復調、その他の信号処理回路を含む手段）３、放送の受信手段（復調、その他の信号処理回路を含む手段）５、チャンネル選局手段６、表示手段７Ａおよびその駆動手段（駆動回路）７Ｂを含む出力手段７、十字キーなどのスクロール選局入力手段８Ａ、テンキーなどのダイレクト選局入力手段８Ｂ等を有する。なお、これら各手段は、ＣＰＵ等の制御手段により制御されている。
なお、放送受信用のアンテナ４とデータ通信および通話のためのアンテナ２は共用可能である。また、出力手段７はスピーカ等の音声出力手段を含む。
【００１３】
放送局等の電波塔１００Ａから放送の電波がアンテナ４に入力されると、放送受信手段５が周波数変換し、その変換後のより低い周波数の信号から放送信号を復調する。その際、チャンネル選局手段６の働きによって、スクロール選局入力手段８Ａまたはダイレクト選局入力手段８Ｂによりユーザが指定した特定周波数範囲（選局されたチャンネル）の信号が復調され、そのチャンネルの映像信号および音声信号が、駆動手段７Ｂに入力され、表示手段７Ａおよび不図示のスピーカにより出力（再生）される。
【００１４】
この受信から再生に先立ってユーザは予め放送局の受信チャンネルを設定する必要があり、表示手段７Ａに受信チャンネル設定の項目を表示して、地域チャンネル情報（地域名、地域コード、地域番号、市外局番など）を入力する。
地域チャンネル情報は視聴地域ごとに変える必要があり、一般に購入時は、その購入した地域の情報や首都圏の情報がデフォルトとしてプリセットされていることが多い。従って、上記プリセットと異なる地域や、一度設定した地域を変える場合には、その地域に応じて新たな地域の情報を設定し直す必要がある。
【００１５】
この操作をなくすために、本実施の形態の放送受信装置１は、特に移動型の機器に放送受信機能を付加しているため、上記地域の設定をなくすように、所在地域の放送局に関する情報を自動で取得し、その取得した情報を元に地域チャンネル情報を自動で設定する機能を備える。
その機能を実現する構成として、携帯電話１は、図１に示すように、所在地域の放送局に関する情報を取得する地域別放送局取得手段１１、チャンネル割付け手段１２、地域チャンネル情報記憶手段１３、ユーザチャンネル情報記憶手段１４および選局チャンネル情報記憶手段１５を有する。なお、これら各手段も、ＣＰＵ等の制御手段により制御されている。
【００１６】
このうちユーザチャンネル情報記憶手段１４は、放送局の情報をチャンネル番号ごとにユーザ固有の関連付けで記憶している。この情報をユーザチャンネル情報という。詳細な例は後述するが、ユーザ固有の関連付けとは、ユーザが使いなれたチャンネル番号と放送局の系列との関連付け、さらに、その系列のキー局を示すキャラクタ画像との関連付け等を指す。
【００１７】
ユーザチャンネル情報記憶手段１４は、当該携帯電話１が現在存在する地域に応じて、その記憶内容を変更する（更新の）必要がある。
本実施の形態では、この更新を、当該地域に入ってからの経過時間、操作に関する情報を含む情報（以下、ユーザの居場所および操作状況をモニタするという意味で、「モニタ情報」という）に基づいて行う。
そのための構成として、携帯電話１は、図１に示すように、ユーザチャンネル更新手段１６、その更新を行うか否かを上記モニタ情報に基づいて判定するユーザチャンネル更新判定手段２１、上記モニタ情報を記憶する地域モニタ情報記憶手段２０およびモニタ情報更新手段２２を有する。
【００１８】
図１に示す携帯電話１は、その他、他の据え置き型テレビジョンのリモートコントローラとして機能させることもでき、そのための構成として、赤外線通信手段１７を備える。
【００１９】
図１における４つの記憶手段、すなわち、地域チャンネル情報記憶手段１３、ユーザチャンネル情報記憶手段１４、選局チャンネル情報記憶手段１５および地域モニタ情報記憶手段２０は、これらを独立したメモリデバイスとして設ける場合、幾つかのデバイスのメモリ領域を分割して実現する場合、あるいは、既存のメモリまたはマイクロコンピュータ内蔵メモリの一部を活用する場合など、その形態は任意である。
【００２０】
赤外線通信手段１７は、選局チャンネル情報を外部の機器に出力し、あるいは、外部から入力するために用いることができる。この機能は、携帯メモリカード等を介した情報の入出力によって行ってもよい。
また、地域別放送局取得手段１１、チャンネル割付け手段１２、ユーザチャンネル更新手段１６、ユーザチャンネル更新判定手段２１、モニタ情報更新手段２２、ならびに、前述したチャンネル選局手段６等は、ハードウエアとして実現してもよいし、また、地域別放送局取得手段１１、チャンネル割付け手段１２、ユーザチャンネル更新手段１６、ならびに、前制御手段内のプログラムの機能としてソフトウエアで実現してもよい。
【００２１】
以下、携帯電話１の選局チャンネル情報の生成、そのユーザチャンネル情報への反映、ならびに、ユーザチャンネル情報の自動更新を説明する。
説明の順番としては、まず、選局チャンネル情報の生成と、そのユーザチャンネル情報への反映を説明し、その後、ユーザチャンネル情報の自動更新について説明する。
【００２２】
図２に、地域チャンネル情報記憶手段１３、ユーザチャンネル情報記憶手段１４および選局チャンネル情報記憶手段１５に記憶されるチャンネル情報の構成例を示す。
図２の「チャンネル番号」とは、本実施の形態の放送受信装置で選局するときの番号を表す。また、表示手段に表示される表示チャンネル番号として用いられるものであっても良い。そして、チャンネル番号ｉ（ｉ＝１〜Ｎ）に対して、現在の地域（当地）の放送局名ｉ、該当地の放送局を表すキャラクタ（画像）情報ｉ、各放送局の系列情報ｉ、系列放送局のキャラクタ画像情報（系列キャラクタ）ｉ、前地放送局名群ｉ、および、前地キャラクタ群ｉがアドレス等で互いに関連付けて保存されている。また、とくに図示していないが、選択情報ｉもチャンネル番号に関連付けて保存されている。
【００２３】
ここで「系列情報」とは、地域の放送局に番組等を放送（配信）する上位の系列放送局名（キー局）あるいはその識別情報をいう。
「前地放送局名群」とは、当地より前に当該携帯電話１が存在した地域（前地）の放送局名の集合である。
「前地キャラクタ群」とは、上記前地の放送局を表すキャラクタ画像の集合である。
「選択情報」とは、チャンネル切り換えにおいてそのチャンネルを選択可能とするか、チャンネル切り換えを行ったときに、そのチャンネルをとばす（「スキップ」する）かの情報である。選択情報はデフォルトで各チャンネル全てが「許可（選択可能）」となっており、ユーザが「不許可」を設定するか、または地域チャンネル情報に含まれている各チャンネルの選択情報設定に基づく。基本的に地域チャンネル情報は、その地域において該当する放送局がないチャンネルを「不許可」とする。
【００２４】
また、系列局に関する情報は、たとえば、デジタル放送規格で規定されているデータストリームに含まれるＢＩＴ(Broadcast Information Table)を図１に示す放送受信手段５が取得することにより得ることができる。系列局のキャラクタ画像がＢＩＴから得られない場合は、後述するように、無線データ通信によりネットワーク１０１を介してキャラクタ画像を取得することも可能である。
【００２５】
地域チャンネル情報記憶手段１３は、当地の受信チャンネルごとに、当地の放送局名、該当地の放送局を表すキャラクタ画像、チャンネル番号、ならびに、該当地の放送局が属する系列の放送局の名称（系列放送局名）、該系列放送局を表すキャラクタ画像を保存する。
【００２６】
ユーザチャンネル情報記憶手段１４は、ユーザがマニュアル（カスタマイズ）設定した際のチャンネル設定の情報（受信チャンネルとチャンネル番号との対応関係など）、設定した受信チャンネルに対応した放送局名、その放送局の系列情報、系列放送局名、該系列放送局のキャラクタ画像、前地の放送局名（前地放送局名群）、前地の放送局を表すキャラクタ画像（前地キャラクタ群）、および、選択情報を保存する。
【００２７】
なお、ユーザが行うマニュアル（カスタマイズ）チャンネル設定とは、地域チャンネル情報に含まれていない受信チャンネルを設定したり、地域チャンネル情報に基づく受信チャンネルとチャンネル番号との対応関係を変えたり、特定のチャンネル番号を特定の放送局として設定したりする場合に行う設定であって、本例ではこのユーザが手動で行うチャンネル設定に基づく情報を「ユーザチャンネル情報」という。
【００２８】
選局チャンネル情報記憶手段１５は、ユーザチャンネル情報記憶手段１４と所在地域（当地）の地域チャンネル情報記憶手段１３の各記憶情報から生成したチャンネル情報（選局チャンネル情報）を保存する。選局チャンネル情報はチャンネル割付け手段１２により生成される。選局チャンネル情報記憶手段１５は、チャンネル割付け手段１２により割付けられたチャンネル番号ごとに、当地の放送局名、当地のキャラクタ画像、系列情報、系列放送局名、該系列放送局のキャラクタ画像、前地の放送局名（前地放送局名群）、前地の放送局を表すキャラクタ画像（前地キャラクタ群）、および、選択情報を保存する。
なお、選局チャンネル情報は、赤外線、近距離無線ないしメモリカードなどの外部情報入出力手段１７を介して他の装置との間で送受信することにより、情報を共有することが可能となる。また、情報を共有した後は、一方の装置が他方の装置に対してリモコンとして使用することも可能である。
【００２９】
地域が変わったことが検出されると、地域別放送局取得手段１１は、データ通信の伝送経路を利用してアンテナ２から基地局１００Ｂに、当該地域の放送局に関する情報の送信要求を出す。この要求信号は、インターネット等のネットワーク１０１を介して地域の放送局キャラクタ画像情報のデータベース１０２を管理するサーバ、系列放送局データベース１０３を管理するサーバ、および、系列に属さない地方の独立局のデータベース（不図示）を管理するサーバに一括して送られる。これらのサーバは、その要求を許可し、当該系列ごとの放送局およびキャラクタ画像を含む地域の放送局に関する情報（以下、地域チャンネル情報という）を、データ通信の伝送経路を介して放送受信装置１に送る。送られてきたデータ通信信号は、アンテナ２によって受信され、無線通信手段３によって復調され、地域チャンネル情報として地域チャンネル情報記憶手段１３に格納される。また、地域チャンネル情報は、放送受信手段５を介して受信しても良い。
なお、地域が変わったことを検出するには、放送波に含まれる地域情報により地域を判別する方法、電子情報番組データの定期的取得により地域を判別する方法、電波の電界強度あるいは周波数帯域の変化を監視する方法、あるいは、ＧＰＳ等による位置検出機能がある場合は、その機能を利用する方法がある。
また、本例は携帯電話であることから地域チャンネル情報を、データ通信機能を用いて取得するが、その機能がない場合は、全国の地域チャンネル情報をデータベース化したものを内蔵するか、外部情報入出力手段、たとえば赤外線通信、近距離無線、または、メモリカードのスロットおよび読み取り回路等から入力する構成でもよい。
【００３０】
チャンネル割付け手段１２は、地域が変わるたびに、あるいは、定期的に、ユーザチャンネル情報をユーザチャンネル情報記憶手段１４から読み出し、地域チャンネル情報を地域チャンネル情報記憶手段１３から読み出し、両者を反映させて選局チャンネル情報を設定（生成）する。選局チャンネル情報は選局チャンネル情報記憶手段１５に格納される。
ここで、地域が変わった場合の選局チャンネル情報の一生成例を説明する。例えば、ユーザチャンネル情報記憶手段１４が第１の放送局を記憶している状態で、地域チャンネル情報記憶手段１３に記憶している変更地域に対応する地域チャンネル情報が前記第１の放送局の系列に属する第２の放送局を含んでいる場合、該第２の放送局に関する情報をユーザチャンネル情報に基づいて前記第１の放送局が設定されているチャンネル番号に割付ける。つまりユーザチャンネル情報を基準にして地域チャンネル情報の放送局を設定する。このため、変更後の選局チャンネル情報には、ユーザが元から使用しているチャンネル番号に系列放送局及び該系列放送局のキャラクタ画像などが継承される。
また、ユーザチャンネル情報と一致する系列放送局がない放送局については、地域チャンネル情報に基づいてその設定がそのまま設定される。また、設定にあたり、ユーザチャンネル情報のチャンネル番号を優先して設定し、これと重複する場合は、未使用のチャンネル番号と代替される。
なお、ここで言うチャンネル番号とはユーザから見た見かけ上の番号であり、周波数帯域の割り当て時に用いる１〜４９ｃｈの各番号とは異なる。
【００３１】
チャンネル割付け手段１２は、他の役割として、チャンネル番号に対応する放送局がない場合の選択情報の制御、ユーザ操作によるチャンネル番号の変更の選局チャンネル情報への反映を行う。すなわち、チャンネル割付け手段１２は、地域チャンネル情報記憶手段１３の記憶内容と、ユーザチャンネル情報記憶手段１４の記憶内容と、選局チャンネル情報記憶手段１５の記憶内容とを照合して、該当地域にチャンネル番号に対応する放送局がない場合に、該チャンネル番号に関する選択情報を「許可」から「不許可（スキップ）」に変更する。
【００３２】
また、チャンネル割付け手段１２は、操作手段８からユーザ操作によってチャンネル番号の変更や選局情報の変更が指示されたときに、制御手段を介して変更指示を受け取り、これらの変更を選局チャンネル情報やユーザチャンネル情報に反映させる。なお、ユーザによる選局情報の変更の場合は、選局チャンネル情報記憶手段１５からの情報がチャンネル選局手段６に読み出されているときに、ユーザからの操作に応じて選択情報の「許可」または「不許可（スキップ）」を該チャンネル選局手段６が設定するようにしてよい。その場合、この設定による変更点を選局チャンネル情報記憶手段１５やユーザチャンネル情報記憶手段１４の記憶内容に反映させる必要がある。
【００３３】
ユーザはチャンネル設定変更モード（ユーザがマニュアルでチャンネル設定を行うモード）を選択し、操作手段８を操作することによって、チャンネル番号の割り当てを任意に変更できる。この操作があると、変更後の情報がユーザチャンネル情報記憶手段１４および選局チャンネル情報記憶手段１５の記憶情報に反映され、これによって以後、変更後のチャンネル番号が、再び変更がない限り、ユーザが今後使用したいチャンネル番号として継承されてゆく。
【００３４】
このようにして生成され変更される選局チャンネル情報は、ユーザによる放送の視聴時に選局チャンネル情報記憶手段１５から出力手段７に読み出され、その表示手段７Ａに選局画面として表示される。
この選局画面を見たユーザが一のチャンネル選択をすると、チャンネル選択手段６が、選択されたチャンネルに応じた周波数帯域に放送受信手段５の受信周波数を合わせることによって目的とするチャンネルを選局し、当該チャンネルの放送内容を表示手段７Ａに表示する。
【００３５】
図３は、チャンネル割付けの処理フローを示すフローチャートである。以下、図１および図３を参照して処理フローを説明する。なお図３においては「チャンネル」を「ＣＨ」と略記している。
ステップＳ１で放送地域の変更が常に監視されている。放送地域が変わったと判断された（「Ｙｅｓ」）場合は処理がつぎのステップＳ２に進み、放送地域に変更がない（「Ｎｏ」）場合は所定の時間間隔でステップＳ１の判断が「Ｙｅｓ」になるまで繰り返される。
【００３６】
ステップＳ２において、図１に示す地域別放送局取得手段１１が放送受信手段５または無線通信手段３を介して、デジタル放送付帯情報またはネットワーク１０１から、新しい地域チャンネル情報（地域ＣＨ情報）を取得し、該地域チャンネル情報を地域チャンネル情報記憶手段１３に保存する。このとき古い情報は消去して新たな情報を保存する。なお、予め地域チャンネル情報を記憶している場合、このステップを省略しても良い。
【００３７】
ステップＳ３において、チャンネル割付け手段１２が、地域チャンネル情報記憶手段１３に新たに保存された地域チャンネル情報の系列情報と、ユーザチャンネル情報記憶手段１４内の系列情報とを比較する。
【００３８】
ユーザチャンネル情報に含まれる系列情報と一致する地域チャンネル情報の受信チャンネルに関しては、ユーザチャンネル情報に基づいて該当するチャンネル番号に継承して割り当てられ、選局チャンネル情報に記憶される。また、割り当てた受信チャンネルに対応する放送局名、系列情報、キャラクタ画像、選択情報が選局チャンネル情報に記憶される（ステップＳ４、Ｓ５）。
【００３９】
一方、ユーザチャンネル情報に含まれる系列情報と一致しない地域チャンネル情報の受信チャンネルはステップＳ３の判断が「Ｙｅｓ」となり、処理フローがステップＳ６にスキップする。
ステップＳ６では、地域チャンネル情報（地域ＣＨ情報）を全て確認したかを判断し、この判断が「Ｙｅｓ」の場合はつぎのステップＳ７に進み、「Ｎｏ」の場合は処理フローがステップＳ３に戻り、地域チャンネル情報の受信チャンネルの確認が全て終了するまでステップＳ３〜Ｓ５を繰り返す。つまり、このステップＳ３〜Ｓ５を繰り返すことにより、ユーザチャンネル情報に一致している放送局を割り当てていく。
【００４０】
ステップＳ７において、図１に示すチャンネル割付け手段１２が、地域チャンネル情報の全ての受信チャンネルを選局チャンネル情報記憶手段１５に登録したかを確認する。この処理は、ユーザチャンネル情報に一致しない放送局が存在する場合の処理を行うためである。ユーザチャンネル情報と地域チャンネル情報の受信チャンネルが全て一致した場合は、ステップＳ７の判断が「Ｙｅｓ」となり、当該処理フロー全体が終了する。
一方、ユーザチャンネル情報に一致しない放送局がある場合はステップＳ７の判断が「Ｎｏ」となることから、処理フローがつぎのステップＳ８に進む。
【００４１】
ステップＳ８において、図１に示すチャンネル割付け手段１２は、検索された未登録の受信チャンネルに対応するチャンネル番号（地域チャンネル情報に基づく）が、選局チャンネル情報記憶手段１５において未使用であるかを調べる。
未使用の場合は、ステップＳ１０において、チャンネル割付け手段１２がその放送局に関する情報（該放送局のチャンネル番号、放送局名、キャラクタ画像および選択情報）を地域チャンネル情報記憶手段１３から読み出し、選局チャンネル情報記憶手段１５に記憶することにより登録する。
検索された未登録の受信チャンネル（放送局）に対応するチャンネル番号がユーザチャンネル情報の中で既に使われている場合は、ステップＳ８の判断が「Ｎｏ」となる。このため、つぎのステップＳ９で、選局チャンネル情報記憶手段１５に記憶しているチャンネル番号にまだ空き（未登録）があるかを確認する。この確認の結果が「Ｙｅｓ」の場合は、ステップＳ１１において、選局チャンネル情報記憶手段１５で未設定のチャンネル番号にその放送局に関する情報を登録する。
ステップＳ９の判断が「Ｎｏ」の場合は、登録するチャンネル番号が無いので登録処理をスキップして、処理をステップＳ７に戻し、その後の処理を繰り返す。
なお、選局チャンネル情報記憶手段１５に記憶しているチャンネル番号に空き（未登録）が無い場合は、その未登録の受信チャンネル（放送局）をどのチャンネル番号に登録させるかをユーザに選択させても良いし、強制的に所定の設定（例えば、チャンネル番号順や地域チャンネル情報の設定どおりなど）に従って登録しても良いし、全く登録せずにその旨の報知（表示や音による出力など）を行っても良い。
【００４２】
つぎに、ユーザチャンネル情報の自動更新を説明する。
図４は、地域モニタ情報記憶手段２０に保存されるチャンネル情報の構成例を示す。
地域モニタ情報記憶手段２０は、地域ごと、該地域を示すエリア情報ｉ（ｉ＝１〜ｍ）と、該地域に入ってからの経過時間ｉと、該地域にいない連続的な休止時間ｉと、ユーザの操作に関する操作情報ｉとを記憶している。これらの記憶情報を「モニタ情報」と称する。
【００４３】
「経過時間」および「休止時間」は、制御手段（ＣＰＵ等）内の計時手段により計測した時間であり、モニタ情報更新手段２２により更新される。
モニタ情報更新手段２２は、定期的に、もしくは放送地域が変わった場合に、現在の地域（当地）に対する経過時間が、前記地域モニタ情報記憶手段２０に保持されているかを検査する。検査の結果、当地のモニタ情報がある場合は、その中の経過時間を更新する。この時、当地以外の放送地域に対する経過時間は更新せずに、休止時間を更新する。
また、モニタ情報更新手段２２は、ユーザのチャンネル選局状況を示す情報を受け取り、該当する地域（通常、当地）のモニタ情報内の操作情報を更新する。図１ではチャンネル選局手段６が放送受信手段５を経由してモニタ情報更新手段２２に接続されていることから、該モニタ情報更新手段２２は放送受信手段５経由で、上記チャンネル選局状況を示す情報を受け取る。なお、チャンネル選局手段６から該情報を受け取るようにしてもよい。
【００４４】
ユーザチャンネル更新判定手段２１は、地域モニタ情報記憶手段２０に保持されている各地域のモニタ情報の経過時間、操作情報を監視し、これらに基づいて自動更新の判定を行う。自動更新と判定した場合、ユーザチャンネル更新手段１６に対して、更新を要求する。
ユーザチャンネル更新手段１６は、上記更新の要求を受け取った場合、該当する地域に関する情報をユーザチャンネル情報に反映させるために、選局チャンネル情報記憶手段１５の記憶情報を、ユーザチャンネル情報記憶手段１４に複写する。
【００４５】
図５は、経過時間および休止時間の更新のフローチャートである。なお、ここではエリア情報がエリアコードの場合を例示する。
【００４６】
ステップＳ２０において、モニタ情報更新手段２２は定期的に、放送受信からエリア情報（エリアコード）を取得する。図５においては、該エリアコードから特定される地域を「Ａ」と表示する。
【００４７】
地域モニタ情報記憶手段２０に記憶されているエリア情報ｉ（ｉ＝１〜ｍ、図４参照）を順次読み出し（ステップＳ２１）、その地域「Ｂｉ」を現在の地域「Ａ」と比較する（ステップＳ２２）。
【００４８】
地域が異なる（「Ａ」≠「Ｂｉ」の）場合、地域モニタ情報記憶手段２０内において、地域「Ｂｉ」に対応する休止時間ｉを所定ステップ、たとえば１時間単位でインクリメント（＋１に）する（ステップＳ２３）。そして、つぎのステップＳ２４の判断で、休止時間ｉが予め設定された閾値Ｄより大きくなった場合、当該地域「Ｂｉ」に対応するモニタ情報（経過時間、休止時間および操作情報の全て）を、地域モニタ情報記憶手段２０から消去する（ステップＳ２５）。
【００４９】
一方、ステップＳ２２の判断で地域が同じ（「Ａ」＝「Ｂｉ」の）場合、休止時間を「０」とする処理を行った後（ステップＳ２６とＳ２７）、経過時間ｉを所定ステップ、たとえば１時間単位でインクリメント（＋１）する（ステップＳ２８）。そして、つぎのステップＳ２９において、インクリメント後の経過時間ｉが所定条件を満たすことを調べ、満たす場合は自動更新と判定し、ユーザチャンネル（ＣＨ）情報を自動更新する（ステップＳ３０）。すなわち、図１に示すユーザチャンネル更新判定手段２１が更新要求を出し、これを受けたユーザチャンネル更新手段によって、選局チャンネル情報記憶手段１５の記憶情報がユーザチャンネル情報記憶手段１４に複写される。
【００５０】
この自動更新が終了するステップＳ２４で休止時間が閾値Ｄを超えない場合、ステップＳ２９で自動更新条件を満たさない場合は、すべて処理フローがステップＳ３１に進む。
ステップＳ３１で全てを確認したか、すなわち「ｉ＝ｍ」を判断し、全ての確認が終了していない場合はステップＳ３２で地域モニタ情報記憶手段２０内の検索対象を変えて、上記ステップＳ２１からの処理を繰り返す。
地域モニタ情報記憶手段２０内の全てのモニタ情報を確認すると、ステップＳ３１の判断が「Ｙｅｓ」となり、当該図５に示す処理が終了する。
【００５１】
なお、図５には現れていないが、得られたエリアコードの地域「Ａ」が、地域モニタ情報記憶手段２０で未登録の場合は、該地域「Ａ」についてのモニタ情報を新たに設定し、該地域を登録する。
また、ステップＳ２９における自動更新条件とは、単純に経過時間ｉが閾値を越えるか否かという条件でも良いが、経過時間ｉと操作情報ｉとに基づく条件であることが望ましい。
【００５２】
図６に、経過時間と操作情報とに基づくユーザチャンネル情報の自動更新判定条件の例を示す。
図６の横軸は経過時間、縦軸は選局操作回数を示す。図６における斜線のエリア（Ｂ）においては、ユーザが当該地域でのチャネルの設定に馴染み、理解した『定着』の状態になったと判断できる。
【００５３】
経過時間が経過しても、選局操作回数が少なすぎると、ユーザは使い慣れていないと判断する。一方、選局操作回数が多い場合は、比較的経過時間が短くても『定着』したと判断する。
時間が経過していても、選局操作として利用していない場合には、他の放送エリアに移動してユーザチャンネル情報として更新したとしても、先の当地放送局（先地放送局）の情報に馴染みがある（覚えている）とは言えない。むしろ、新しい情報を早く馴染ませた方がユーザにとっての使い勝手は良い。
他方、短い経過時間であっても、選局操作を高い頻度で行う場合には、ユーザに馴染みがある（覚えている）と判断し、新しい情報を類推するための情報として利用する方（前地の放送局として見せる）が、ユーザにとっての使い勝手は良い。
なお、この図８の方法を実際のシステムに適用する場合は、たとえば、経過時間と選局操作回数を２つのパラメータとする馴染み度を規定し、その閾値を決めて、閾値を越えた場合に『定着』したと判断することができる。
【００５４】
以上より、ユーザは単に普段どおりにチャンネル操作を行うだけで、ユーザチャンネル設定の更新を自動的に行うことが可能となる。
旅行などで一時行った放送地域の情報は、地域モニタ情報記憶手段に登録され、当該地域に居る間は経過時間が更新されていく。しかしながら、ユーザが旅行などから帰ってくると、上記一時行った地域について日ごとに休止情報が更新され、しばらくすると地域モニタ情報記憶手段２０から削除される。
一方、居住している拠点地域の情報は、まだユーザチャンネル情報が更新されていない場合、当該拠点地域について旅行中に休止時間が更新されていく。しかしながら、削除される閾値の日数を越える前に、ユーザ居住エリアに戻ってくることにより、休止時間はクリアされる。このためユーザは、拠点地域の選局情報を以前と同じように使用することができる。
【００５５】
図７は、操作情報のカウント方法例を示すフローチャートである。本例は、操作情報として、チャンネルの選局操作回数を用いた場合を示す。
デジタル放送の視聴を開始する（ステップＳ４０）と、図１の表示手段７Ａに選局画面が表示され、これを見ながらユーザがどのチャンネル、番組を観るか選局を行う。
【００５６】
ステップＳ４１では、この選局のためのキー操作（以下、選局キー操作という）を監視しており、選局キー操作があると、不図示のＣＰＵ内のタイマー（選局動作継続監視タイマー）が起動中かを調べる（ステップＳ４２）。起動中の場合は、一旦当該タイマーを停止して（ステップＳ４３）からステップＳ４４で再起動する。一方、起動中でない場合はそのままステップＳ４４で当該タイマーを起動する。
そして、ステップＳ４８において、デジタル放送の視聴が終了しているかを確認し、「Ｎｏ」の場合は、再びステップＳ４１で選局操作の有無を確認する。したがって、ユーザが番組を選ぶときに短時間に選局操作を何回も繰り返している間は、上記ステップＳ４１→Ｓ４２（→Ｓ４３）→Ｓ４４→Ｓ４８によるループが回る。そして、見たい番組がなくユーザがデジタル放送の視聴を終了させると当該処理フロー全体が終了する。
【００５７】
一方、ユーザの見たい番組が見つかり、選局キー操作をしなくなると、上記ステップＳ４１の判断が「Ｎｏ」となり、つぎのステップＳ４５で、上記タイマーが所定時間に達した満了の状態となっているか否かを調べる。このタイマーの起動から満了までの時間経過が、番組を探すためにユーザが行う一連の選局操作が終了したことを検出する条件となる。満了の場合は、見たい番組をユーザが見つけ、このため選局キー操作が行われなくなったと判断して、タイマーを停止した後（ステップＳ４６）、ステップＳ４７において操作情報（図６の縦軸に示す選局操作回数）をインクリメント（＋１）にする。
【００５８】
その後、ステップＳ４８で視聴終了が検出されると、当該処理フロー全体が終了する。
【００５９】
一方、視聴中の場合は、ステップＳ４８が「Ｎｏ」となるため、ステップＳ４１→Ｓ４５→Ｓ４８のループが、視聴終了が検出されるまで回る。
このステップＳ４１→Ｓ４５→Ｓ４８のループが回っている間に再び選局キー操作があると、ステップＳ４１→Ｓ４２→Ｓ４４でタイマーが起動されるため、選局動作の継続が再開される。この場合、すぐに視聴終了としない限り、再度操作情報の更新が行われるため、この操作は選局操作回数に数えられる。
【００６０】
図８は、操作情報のカウント方法について、他の例を示すフローチャートである。本例では、操作情報として、観た番組数を用いる場合である。
デジタル放送の視聴を開始すると（ステップＳ４０）、視聴状態ｎを初期化（ｎ＝０）し、つぎのステップＳ４０Ａで不図示のＣＰＵ内のタイマー（選局動作継続監視タイマー）を起動する。
視聴開始によって図１の表示手段７Ａに選局画面が表示され、これを見ながらユーザがどのチャンネル、番組を観るか選局を行う。
【００６１】
ステップＳ４１では、この選局のためのキー操作を監視しており、選局のためのキー操作があると、タイマーが起動中かを調べる（ステップＳ４２）。最初は上記ステップＳ４０Ａで既にタイマーを起動していることから、この判断が「Ｙｅｓ」となり、ステップＳ３で一旦当該タイマーを停止してからステップＳ４４で再起動する。
そして、ステップＳ４８においてデジタル放送の視聴が終了しているかを確認し、「Ｎｏ」の場合は、再びステップＳ４１で選局操作の有無を確認する。
【００６２】
ユーザが番組を選ぶときに短時間に選局操作を何回も繰り返している間は、上記ステップＳ４１→Ｓ４２→Ｓ４３→Ｓ４４→Ｓ４８によるループが回って、タイマーの停止と起動が繰り返されているだけである。そして、見たい番組がなくユーザがデジタル放送の視聴を終了させると、ステップＳ４８の判断が「Ｙｅｓ」となり、当該処理フロー全体が終了する。この場合、視聴開始時刻や終了時刻の設定が行われていないのでステップＳ４８Ａ〜Ｓ４８Ｃは実行されない。
【００６３】
一方、ユーザの見たい番組が見つかり、選局操作をしなくなると、上記ステップＳ４１の判断が「Ｎｏ」となり、つぎのステップＳ４５で、上記タイマーが所定時間に達した満了の状態となっているか否かを調べる。このタイマーの起動から満了までの時間経過が、番組を探すためにユーザが行う一連の選局操作が終了したことを検出する条件となる。満了の場合は、見たい番組をユーザが見つけ、このため選局キー操作が行われなくなったと判断して、タイマーを停止した後（ステップＳ４６）、つぎのステップＳ４７Ａ〜Ｓ４７Ｃの処理を行う。
【００６４】
ステップＳ４７Ａでは、視聴チャンネル（ＣＨ）番号として、視聴状態ｎにおける現在のＣＨ番号（ch(n)）を、たとえばＣＰＵのレジスタ等に保持する。
ステップＳ４７Ｂでは、視聴開始時刻として、視聴状態ｎにおける現在の時刻(Tstt(n))を、たとえばＣＰＵの他のレジスタ等に保持する。
ステップＳ４７Ａの処理時に、当該携帯電話が、現在表示されている番組の番号データを保持していない場合、ＥＰＧ(Electronic Program Guide )を放送受信波（または、無線通信手段を介してネットワーク）から取得）し、上記現在のＣＨ番号(ch(n))に関連付けて保持する。
【００６５】
ユーザが当該番組を視聴している間に、選局キー操作が行われると、ステップＳ４１が「Ｙｅｓ」、ステップＳ４２が「Ｎｏ」となることから、ステップＳ４２Ａ〜Ｓ４２Ｄが実行される。
【００６６】
ステップＳ４２Ａでは、視聴の終了時刻として、視聴状態ｎにおける現在の時刻（Tend(n)）をＣＰＵのレジスタ等に保持する。これにより、視聴期間[Tstt(n),Tend(n)]が確定する。
ステップＳ４２Ｂでは、前もって保持している視聴状態ｎにおけるチャンネル番号（ch(n)）の番組データから、視聴期間[Tstt(n),Tend(n)]内の番組数（Pcnt(n)）をカウントする。
ステップＳ４２Ｃは、このカウントした番組数（Pcnt(n)）を操作情報として保存する。これにより操作情報が更新される。
ステップＳ４２Ｄでは、視聴状態ｎを更新する（(n+1)→n）。
【００６７】
ステップＳ４４でタイマーを起動し、ステップＳ４８で視聴終了が検出されると、つぎのステップＳ４８Ａ〜Ｓ４８Ｃで、上記ステップＳ４２Ａ〜Ｓ４２Ｃと同様な処理を行って当該処理フロー全体が終了する。
【００６８】
なお、ステップＳ４８Ａ〜Ｓ４８Ｃが存在するのは、選局キー操作が行われない場合を考慮したためである。
すなわち、ユーザが当該番組を視聴し続け、選局キー操作が行われない場合は、ステップＳ４８が「Ｙｅｓ」、ステップＳ４５が「Ｎｏ」となる。この場合、タイマーが停止していることから、つぎのステップＳ４５ではタイマーの満了は検出されず、ステップＳ４８→Ｓ４１→Ｓ４５のループが回る。
その間に、視聴の終了がステップＳ４８で検出されると、当該ループを外れ処理フローが終了に向かう。この場合、上述した視聴終了期間を確定し、それにより操作情報を更新するステップＳ４２Ａ〜Ｓ４２Ｄのルートを処理フローが通らないことから、まず、ステップＳ４８Ａ〜Ｓ４８Ｄで同様な処理を行ってから処理フローを終了させるようにしている。
【００６９】
以上より、視聴した番組数により、ユーザの操作の慣れ具合を判断することが可能となる。
本方法は、携帯端末に付帯するデジタル放送の視聴のみに限らず、他の据え置き型等のテレビジョン再生装置で、そのリモートコントローラとして本携帯端末を使用した場合にも、同様に動作して、操作情報を生成することができる。この場合、本実施の形態の携帯電話は、図１に示す赤外線通信手段１７を介して、テレビジョン再生装置との通信を行う。
【００７０】
図９は、ユーザの移動にともなる選局チャンネル情報の推移の一例を示す説明図である。以下、選局チャンネル情報の特定の受信チャンネルＡに関する推移例を図１および図９を参照して説明する。
図９に示すエリアＡをユーザの基準となるエリア（たとえば生活拠点のエリア）とし、ユーザはこのエリアを基準にして受信チャンネルＡをあるチャンネル番号に対応させてユーザチャンネル情報記憶手段１４に記憶している。ユーザがエリアＡに居るときは、ユーザチャンネル情報記憶手段１４に記憶されている受信チャンネルＡがエリアＡの地域チャンネル情報の受信チャンネルＡと一致する。このため上述した図３に示すチャンネル割付け処理を行うと、図９に示すエリアＡの図表１（図表の番号は、図では丸で囲む数字により表す）のように、ユーザチャンネル（ＣＨ）情報として記憶されている受信チャンネルＡに対応するチャンネル番号には地域チャンネル（ＣＨ）情報の受信チャンネルＡが割り当てられ、選局チャンネル情報が生成される（図表１では、この情報を「Ａ」で表記している）。
【００７１】
ユーザがエリアＡからエリアＣに移動すると、ユーザチャンネル情報記憶手段１４の情報がエリアＡに対応したものであるのに対して、地域チャンネル情報記憶手段１３の情報はエリアＣに対応したものとなる。このため、地域チャンネル情報に含まれる受信チャンネルＡと同じ系列局の受信チャンネルＣが上記チャンネル番号を継承しつつ、ユーザがエリアＣで選局するための選局チャンネル情報が構築される。以下、この情報を「エリアＡで設定したあるチャンネル番号の系列情報を継承してエリアＣで同じチャンネル番号で同じ系列の放送局を選局するためのＣＨ情報」と称し、図表中では「Ａ（Ｃ）」と表記する。この場合、図９に示すエリアＣの図表２のように、ユーザＣＨ情報は「Ａ」のままであるが、地域ＣＨ情報が「Ａ」から「Ｃ」に変更され、その結果、選局ＣＨ情報が「Ａ」から「Ａ（Ｃ）」に書き換えられる。
【００７２】
つぎにユーザがエリアＣからエリアＢに移動すると、先のエリアＣと同様に、エリアＡで設定したあるチャンネル番号の系列情報を継承してエリアＢで選局するための選局ＣＨ情報「Ａ（Ｂ）」が構築される。この場合、図９に示すエリアＢの図表３のように、ユーザＣＨ情報は「Ａ」のままであるが、地域ＣＨ情報が「Ｃ」から「Ｂ」に変更され、その結果、同じ系列の受信チャンネルＢ（放送局）が設定され、選局ＣＨ情報が「Ａ（Ｃ）」から「Ａ（Ｂ）」に書き換えられる。
【００７３】
つぎにユーザがエリアＢから再びエリアＡに戻ってくると、地域ＣＨ情報が元々のユーザが利用していた「Ａ」に戻ることから、結果として、図９に示す図表１の状態が再現される。
【００７４】
なお、図９の例では、エリアＣおよびエリアＢの滞在期間が短く、かつ、ユーザにより意図的なチャンネル番号の変更がなされていない等の理由により、図１に示すユーザチャンネル更新手段１６による選局ＣＨ情報の複写を含む、ユーザチャンネル情報記憶手段１４の記憶内容の更新は一切されない。
【００７５】
これに対し図１０に、エリアＣでユーザチャンネル情報の更新があった場合の選局チャンネル情報の推移を示す。なお、以下の図１０の説明では、図９と異なる点を中心に説明する。ここでは、ユーザチャンネル更新判定を行う基準を滞在期間（連続した経過時間）が６ヶ月以上とする。なお、これ以外には、前述したように経過時間と操作頻度の双方を基準とする更新判定（図６）、操作情報を基準とした更新判定も可能である。
図１０の場合、エリアＡからエリアＣに移動することによって、エリアＡで設定したあるチャンネル番号の系列情報を継承してエリアＣで選局するためのＣＨ情報「Ａ（Ｃ）」が構築されることは図９の場合と同様である。
【００７６】
エリアＣにおいてユーザが６ヶ月滞在したとする。ユーザチャンネル情報記憶手段２１の更新判定条件を満たしたことになり、ユーザチャンネル情報記憶手段１４の更新が自動的に行われる。この更新は、図１に示すユーザチャンネル更新手段１６が選局チャンネル情報記憶手段１５の記憶情報をユーザチャンネル情報記憶手段１４に複写することにより実行される。これにより、ユーザチャンネル情報記憶手段１４の記憶内容が「Ａ」から「Ａ（Ｃ）」に変更される。このユーザＣＨ情報の更新後の状態を、図１０では図表３に示す。
【００７７】
つぎにユーザがエリアＣからエリアＢに移動すると、このとき既にユーザＣＨ情報が「Ａ（Ｃ）」に更新されていることから、この更新後のユーザＣＨ情報「Ａ（Ｃ）」の系列情報を継承してエリアＢで選局するための選局ＣＨ情報「Ａ（Ｃ（Ｂ））」が構築される。この場合、図１０に示すエリアＢの図表４のように、ユーザＣＨ情報は「Ａ（Ｃ）」であり、地域ＣＨ情報が「Ｃ」から「Ｂ」に変更され、その結果、受信チャンネルＣ（放送局）に基づく同じ系列の受信チャンネルＢ（放送局）が設定され、選局ＣＨ情報が「Ａ（Ｃ）」から「Ａ（Ｃ（Ｂ））」に書き換えられる。
【００７８】
つぎにユーザがエリアＢから再びエリアＡに戻ってくると、このとき既にユーザＣＨ情報が「Ａ（Ｃ）」に更新されていることから、この更新後のユーザＣＨ情報「Ａ（Ｃ）」の系列情報を継承してエリアＡで選局するための選局ＣＨ情報「Ａ（Ｃ（Ａ））」が構築される。この場合、図１０に示すエリアＡの図表５のように、ユーザＣＨ情報は「Ａ（Ｃ）」であり、地域ＣＨ情報が「Ｂ」から「Ａ」に変更され、その結果、受信チャンネルＣ（放送局）に基づく同じ系列の受信チャンネルＡ（放送局）が設定され、選局ＣＨ情報が「Ａ（Ｃ（Ｂ））」から「Ａ（Ｃ（Ａ））」に書き換えられる。この選局ＣＨ情報は、元々のユーザが利用していた選局ＣＨ情報「Ａ」とは異なる情報であるが、エリアＣにおけるユーザＣＨ情報の更新を反映したものであり、ユーザにとっては、より使いやすい選局ＣＨ情報に進化している。
つまり、図１０では、エリアＣで更新した受信チャンネルＣが例えば複数の系列に属していて、受信チャンネルＡの系列局を含むが、代表の系列が受信チャンネルＡと異なる場合には、この時点からこのチャンネル番号は、受信チャンネルＣの代表の系列局（放送局）が継承されていくことになる。
なお、上記例ではある１つのチャンネル番号を例にして説明しているが、勿論複数のチャンネル番号に対して同様に適用する。
【００７９】
図９および図１０において、滞在期間の基準に加え、滞在時間の長短にかかわらずユーザによる意図的なチャンネル割り当てがあった場合にユーザチャンネル情報の自動更新を行ってもよい。いずれにしても図９の例では、ユーザＣＨ情報の更新は行われないが、図１０の例ではエリアＣにおいてユーザＣＨ情報の更新が行われる。
【００８０】
図９が想定しているのは、たとえば、ユーザが生活拠点Ａから娯楽、出張、短期間の旅行などの目的で異なる放送エリアをまたがって移動する場合に、単なる通過または短期滞在するエリアＣ，Ｂでは、そのエリアの放送を視聴することができるが、これらは一時的な通過または滞在エリアであるため、ユーザＣＨ情報の変更をする必要がない場合である。
これに対し図１０が想定しているのは、エリアＡが生活拠点であるが、エリアＣも第２の生活拠点とする場合、エリアＣは生活拠点ではないがテレビの使用実態としては主となる可能性がある場合であり、これらの場合、前のエリアで使用してきたユーザチャンネル情報を継承しつつ、新しいユーザチャンネル情報を構築することが容易になる。
【００８１】
以上より、本実施の形態では、生活拠点など基準とすべきエリアＡからユーザが移動して再びエリアＡに戻る場合に、ユーザがカスタマイズしたチャンネル構成に基づいた割付けで各エリアにおいて選局することが可能となるとともに、エリアＡに戻った際にもチャンネル構成をユーザが元々設定していたカスタマイズ状態に直す必要がない。
なお、エリアＡおよびＣのそれぞれにおいて、実際に放送されていない局の情報は、前述したように選択情報が自動で「不許可」となりスクロール選局ができないようになっていることから、ユーザの利便性を損なうものではない。
【００８２】
また、図１０では、ユーザチャンネル情報の更新が所定の基準を基に自動で行われるため、ユーザはとくに意識しなくても、使いやすい選局表示が常になされるという利益を享受できる。
【００８３】
以下、本実施の形態における利点を述べる。
【００８４】
本実施の形態によれば、図１に示す３つの情報記憶手段、すなわち地域チャンネル情報記憶手段１３、ユーザチャンネル情報記憶手段１４および選局チャンネル情報記憶手段１５に、それぞれ地域チャンネル情報、ユーザチャンネル情報、選局チャンネル情報を記憶している。このため、選局チャンネル情報を設定（生成）する場合に、地域チャンネル情報やユーザチャンネル情報が消されることがない。また、新たに生成した選局チャンネル情報を、以後のユーザチャンネル情報として複写することが容易である。
【００８５】
これに対し、地域チャンネル情報、ユーザチャンネル情報、選局チャンネル情報の記憶手段（物理メモリまたは記録エリア）を共用すると、とくに生活拠点を持ったユーザが頻繁に移動する場合に、以下の不都合が発生する可能性が高い。
第１に、移動ごとにメモリのデータを書き換えると、移動中に系列放送局がない地域を通過した場合、元々の設定した地域のチャンネルが空き領域となり、移動先から拠点に戻った場合に、この空き領域に新しいチャンネルが設定されていることがある。この場合、ユーザは、チャンネル設定を元に戻す操作を強いられる。
第２に、移動先の地域によっては、１つの系列放送局に複数の系列番組を放送しているために、利用者が意図した番組が系列の異なる放送局で放送される場合がある。
第３に、１つの系列放送局に複数の系列番組を放送している地域から、系列ごとに番組を放送している地域に移動した場合、それぞれの系列が、メモリ位置に設定されていないために、拠点のメモリ位置を復元できない場合がある。
第４に、移動中に１つの地域に同一系列の放送局が複数存在した場合、最後に設定した放送局が登録されるために、処理中に発生した他の系列放送局を選択できない場合がある。
【００８６】
上記不都合の発生を防止するために共用メモリ領域の規模を大きくすると、不要なメモリ空間を消費することになる。
【００８７】
本実施の形態では、地域チャンネル情報、ユーザチャンネル情報、選局チャンネル情報を記憶に必要なメモリ領域の規模が最適化できることから、全体としてのメモリ領域の規模を必要最小限としながら、上記不都合の発生を有効に防止できる利点が得られる。
【００８８】
また、本実施の形態によれば、ユーザが旅行などで短期的に異なる放送地域間を移動した場合にも、ユーザに負担をかけることなく、使いなれたチャンネル構成を継承した形で選局チャンネル情報を構築するため、ユーザは容易に目的とするチャンネル選局を行うことが可能となる。
また、複数の箇所を頻繁に行き来する場合、引越しなどで移り住む場合にも同様に、ユーザに負担をかけることなく、使い慣れたチャンネル構成を継承した形でチャンネルを構築することが可能となる。
【００８９】
また、１つの放送局に複数の系列が存在する場合にも、最適な系列放送局を選択することにより、ユーザに的確な系列放送局を示唆することが可能となる。
【００９０】
さらに、ユーザの滞在住時間（連続的な経過時間）に応じて、一時的な滞在か、長期の滞在か、定住況を判断し自動的にユーザチャンネルを更新するため、ユーザチャンネル更新のための設定操作を必要としない。
このユーザチャンネル情報記憶手段の更新に際して、経過時間および操作情報等のモニタ情報を地域モニタ情報記憶手段２０に保持し、これらを監視することから、一時的な移動（他放送エリアへの移動）ではユーザチャンネル情報が更新されない。
【００９１】
以上より、ユーザにとって使いやすい放送受信装置を提供することができる。
【図面の簡単な説明】
【００９２】
【図１】本実施の形態にかかる携帯電話のブロック図である。
【図２】地域チャンネル、ユーザチャンネル、選局チャンネルに関する３つの記憶手段に記憶される情報の構成例を示す図表である。
【図３】チャンネル割付けのフローチャートである。
【図４】地域モニタ情報記憶手段に保存される情報の構成例を示す図表である。
【図５】経過時間および休止時間の更新のフローチャートである。
【図６】経過時間と操作情報とに基づく自動更新判定条件を示すグラフである。
【図７】操作情報のカウント方法例を示すフローチャートである。
【図８】観た番組数を操作情報としてカウントする方法を示すフローチャートである。
【図９】ユーザの移動にともなる記憶情報の推移を示す図である。
【図１０】ユーザチャンネル情報の更新があった場合の記憶情報の推移を示す図である。
【符号の説明】
【００９３】
１…携帯電話、２，４…アンテナ、３…無線通信手段、５…放送受信手段、６…チャンネル選局手段、７…出力手段、７Ａ…表示手段、７Ｂ…駆動手段、８Ａ…スクロール選局入力手段、８Ｂ…ダイレクト選局入力手段、１１…地域別放送局取得手段、１２…チャンネル割付け手段、１３…地域チャンネル情報記憶手段、１４…ユーザチャンネル情報記憶手段、１５…選局チャンネル情報記憶手段、１６…ユーザチャンネル更新手段、１７…赤外線通信手段、２０…地域モニタ情報記憶手段、２１…ユーザチャンネル更新判定手段、２２…モニタ情報更新手段
【図１】
2007180794.tif 000003
【図２】
2007180794.tif 000004
【図３】
2007180794.tif 000005
【図４】
2007180794.tif 000006
【図５】
2007180794.tif 000007
【図６】
2007180794.tif 000008
【図７】
2007180794.tif 000009
【図８】
2007180794.tif 000010
【図９】
2007180794.tif 000011
【図１０】
2007180794.tif 000012